(57)【特許請求の範囲】
【請求項１】
複数の電力ケーブルどうしを接続したケーブル接続部本体と、前記ケーブル接続部本体を収容するコフィンボックスとを備え、前記コフィンボックス内に防水コンパウンドが充填されている電力ケーブル接続部であって、
前記コフィンボックスは、複数のボックス構成部材に分割されていて、各分割部で隣り合うボックス構成部材どうしが突き合わされた構造を有し、
前記各分割部で突き合わされた隣り合うボックス構成部材に跨って、各分割部付近を外側から覆う樹脂含浸シートが配置され、
各分割部付近を覆う樹脂含浸シートに含浸された樹脂が硬化されることにより、各分割部で突き合わされた隣り合うボックス構成部材の外面に前記樹脂含浸シートが接着され、 前記複数のボックス構成部材の各突き合わせ部が前記樹脂含浸シートを介して接合されていること、
を特徴とする電力ケーブル接続部。
【請求項２】
複数の電力ケーブルどうしを接続したケーブル接続部本体と、前記ケーブル接続部本体を収容するコフィンボックスとを備え、前記ケーブル接続部本体により接続されたケーブルの遮蔽層につながる接地線が前記コフィンボックスに設けられた接地線引出部を通して外部に引き出され、前記コフィンボックス内には防水コンパウンドが充填されている電力ケーブル接続部であって、
前記コフィンボックスは、複数のボックス構成部材に分割されていて、各分割部で隣り合うボックス構成部材どうしが突き合わされた構造を有し、
前記複数のボックス構成部材の内、前記接地線に対面する一つのボックス構成部材の周壁部に前記接地線を受け入れる凹部を内側に有する膨出部が形成されるとともに、前記凹部内に臨むようにして前記一つのボックス構成部材に前記接地線引出部が設けられ、
前記接地線は、前記凹部内を通して前記接地線引出部から外部に引き出され、
前記各分割部で突き合わされた隣り合うボックス構成部材に跨って、各分割部付近を外側から覆う樹脂含浸シートが配置され、
各分割部付近を覆う樹脂含浸シートに含浸された樹脂が硬化されることにより、各分割部で突き合わされた隣り合うボックス構成部材の外面に前記樹脂含浸シートが接着され、 前記複数のボックス構成部材の各突き合わせ部が前記樹脂含浸シートを介して接合されていること、
を特徴とする電力ケーブル接続部。
【請求項３】
前記樹脂含浸シートは、ガラス繊維の織布または不織布に樹脂を含浸させたものからなっている請求項１または２に記載の電力ケーブル接続部。
【請求項４】
前記樹脂は、光硬化型の樹脂である請求項１，２または３に記載の電力ケーブル接続部。
【請求項５】
複数の電力ケーブルどうしを接続したケーブル接続部本体を構成した後、前記ケーブル接続部本体をコフィンボックス内に収容して電力ケーブル接続部を構成する方法において、
前記コフィンボックスとして、複数のボックス構成部材に分割されて隣り合うボックス構成部材どうしが各分割部で突き合わされる構造を有するものを用い、
前記ケーブル接続部本体を構成した後、前記ケーブル接続部本体を前記複数のボックス構成部材の内側に配置した状態で該複数のボックス構成部材を突き合せ、
各分割部で突き合わされた隣り合うボックス構成部材に跨って、各分割部付近を外側から覆うように樹脂含浸シートを配置し、
各分割部付近を覆う樹脂含浸シートに含浸された樹脂を硬化させることにより、各分割部で突き合わされた隣り合うボックス構成部材の外面に前記樹脂含浸シートを接着して、前記複数のボックス構成部材の各突き合わせ部を前記樹脂含浸シートを介して接合した後、前記コフィンボックス内に防水コンパウンドを注入すること、
を特徴とする電力ケーブル接続部の構成方法。
【請求項６】
複数の電力ケーブルどうしを接続したケーブル接続部本体を構成して前記複数の電力ケーブルの遮蔽層につながる接地線を引き出した後、前記ケーブル接続部本体をコフィンボックス内に収容して電力ケーブル接続部を構成する方法において、
前記コフィンボックスとして、複数のボックス構成部材に分割されて各分割部で隣り合うボックス構成部材どうしが突き合わされる構造を有するものを用いて、前記複数のボックス構成部材の内、前記接地線に対面する一つのボックス構成部材の周壁部に前記接地線を受け入れる凹部を内側に有する膨出部を形成しておくとともに、該一つのボックス構成部材に前記凹部内に臨むようにして前記接地線を引出す接地線引出し部を設けておき、
前記ケーブル接続部本体を構成した後、前記接地線を前記一つのボックス構成部材の前記凹部内を通して前記引出部から外部に引き出すとともに、前記ケーブル接続部本体を前記複数のボックス構成部材の内側に配置した状態で該複数のボックス構成部材を突き合せ、
前記各分割部で突き合わされた隣り合うボックス構成部材に跨って、各分割部付近を外側から覆うように樹脂含浸シートを配置し、
各分割部付近を覆う樹脂含浸シートに含浸された樹脂を硬化させることにより、各分割部で突き合わされた隣り合うボックス構成部材の外面に前記樹脂含浸シートを接着して、前記複数のボックス構成部材の各突き合わせ部を前記樹脂含浸シートを介して接合した後、前記コフィンボックス内に防水コンパウンドを注入すること、
を特徴とする電力ケーブル接続部の構成方法。
【請求項７】
前記樹脂含浸シートとして、ガラス繊維の織布または不織布に樹脂を含浸させたものを用いる請求項５または６に記載の電力ケーブル接続部の構成方法。
【請求項８】
前記樹脂として、光硬化型の樹脂を用いる請求項５，６または７に記載の電力ケーブル接続部の構成方法。
【発明の詳細な説明】
【技術分野】
【０００１】
本発明は、電力ケーブルどうしを接続した電力ケーブル接続部及びこの電力ケーブル接続部を構成する方法に関するものである。
【背景技術】
【０００２】
高電圧または超高電圧が印加される電力ケーブルどうしを接続するケーブル接続部本体は、電力ケーブルの導体どうしを接続金具を介して接続した導体接続部、電界を緩和するように導体接続部の周辺の電界分布を制御する電界制御構造の補強絶縁層、遮蔽層及び遮水層などにより構成されるケーブル接続部本体と、該ケーブル接続部本体を覆う保護外装部とにより構成される。
【０００３】
電力ケーブルを直接地下に埋設する場合など、ケーブルに大きな外力が作用することがある場合には、特許文献１や特許文献２に示されているように、ＦＲＰなどの機械的に強固な材料により構成されたコフィンボックスと呼ばれるボックスを施工工事現場でケーブル接続部本体に取り付けて該コフィンボックス内にケーブル接続部本体を収容し、このコフィンボックス内にウレタン樹脂などの防水コンパウンドを注入することにより保護外装部を構成している。
【０００４】
特許文献１に示されたコフィンボックスは、最中のように二つの半部に分割されて、二つの半部の相対する端部に形成されたフランジどうしが接合された構造を有している。この種のコフィンボックスにおいては、防水性能を確保するため、二つの半部のフランジ部をパッキンを介して突き合わせて、多数のボルトにより締結していた。
【０００５】
また特許文献２に示されたように、両端が開口した筒状のコフィンボックス本体と、このコフィンボックス本体の両端を閉じるフランジ板とからなる筒型のコフィンボックスも用いられている。このコフィンボックスにおいては、コフィンボックス本体の両端を閉じるフランジ板にそれぞれ形成された開口部を通してコフィンボックス内にケーブルが導入される。この場合も、コフィンボックス内にはウレタン樹脂などの防水コンパウンドが注入される。
【特許文献１】特開２００３−０８７９２０号公報
【特許文献２】特開２００５−２５３１２２号公報
【発明の開示】
【発明が解決しようとする課題】
【０００６】
特許文献１に示された二つ割り構造のコフィンボックスでは、ボックスを構成する二つの半部の相対する端部に形成されたフランジどうしを多数のボルトにより締結する必要があったため、フランジの厚さを厚くする必要があった。
【０００７】
また従来の二つ割り構造のコフィンボックスでは、ボックスを構成する二つの半部のフランジどうしを多数のボルトにより締結していたため、各フランジにボルトを通すための孔を多数個形成する必要があり、加工が面倒になるのを避けられなかった。
【０００８】
また従来の二つ割り構造のコフィンボックスでは、防水性を確保するために、二つの半部のフランジ間にパッキンを挿入する必要があったため、二つの半部のフランジの厚さが厚くなること及びフランジへの孔あけ加工が面倒になることと相俟って、コストが高くなるのを避けられなかった。
【０００９】
また従来の二つ割り構造のコフィンボックスのように、パッキンを介して突き合わされた二つの半部のフランジを多数のボルトを用いて締め付ける構造では、各ボルトの締め付け力を均一にしないと、パッキンが効かずに防水性が不完全になるため、コフィンボックスの組立に熟練を要し、熟練度が不足すると、コフィンボックスの防水性にばらつきが生じるおそれがあった。
【００１０】
特許文献２に示された筒型のコフィンボックスでは、電力ケーブルの遮蔽層につながる接地線をコフィンボックスの端部から外部に引き出しているが、この場合、接地線の引き出し部に防水処理を施すことを可能にするために、接地線の引き出し部と電力ケーブルとの間に隙間を確保しておくことが必要になるので、コフィンボックスの内径をケーブル接続部本体の外径よりも相当に大きくする必要があり、コフィンボックス内の隙間を埋める防水コンパウンドの量が多くなって、コストが高くなるのを避けられなかった。
【００１１】
本発明の目的は、ボルトを用いることなくコフィンボックスを組み立てることができるようにした電力ケーブル接続部及びその構成方法を提供することにある。
【００１２】
本発明の他の目的は、ボルトを用いることなくコフィンボックスを組み立てることができるようにするとともに、コフィンボックスの内部に充填する防水コンパウンドの量を節約することができるようにした電力ケーブル接続部及びその構成方法を提供することにある。
【課題を解決するための手段】
【００１３】
本発明は、複数の電力ケーブルどうしを接続したケーブル接続部本体と、ケーブル接続部本体を収容するコフィンボックスとを備えて、コフィンボックス内に防水コンパウンドが充填される電力ケーブル接続部に係わるものである。
【００１４】
本発明においては、コフィンボックスが複数のボックス構成部材に分割されていて、各分割部で隣り合うボックス構成部材どうしが突き合わされた構造を有している。また各分割部で突き合わされた隣り合うボックス構成部材に跨って、各分割部付近を外側から覆う樹脂含浸シートが配置され、各分割部付近を覆う樹脂含浸シートに含浸された樹脂が硬化されることにより、各分割部で突き合わされた隣り合うボックス構成部材の外面に樹脂含浸シートが接着され、複数のボックス構成部材の各突き合わせ部が樹脂含浸シートを介して接合されている。
【００１５】
部品点数が多くなるのを防ぐため、コフィンボックスは、２つのボックス構成部材に分割するのが好ましいが、ボックス構成部材の成形を容易にする等の理由で、コフィンボックスを３以上のボックス構成部材に分割することもできる。
【００１６】
上記のように、分割構造のコフィンボックスの各分割部で突き合わされた隣り合うボックス構成部材に跨って、各分割部付近を外側から覆う樹脂含浸シートを配置して、各分割部で突き合わされた隣り合うボックス構成部材の外面に樹脂含浸シートを接着することにより、複数のボックス構成部材の各突き合わせ部を樹脂含浸シートを介して接合する構造にすると、ボルトを用いることなく、かつボックス構成部材の突き合わせ部にパッキンを介在させることなく、コフィンボックスを組み立てることができ、構造を簡単にすることができるため、コフィンボックスのコストの低減を図ることができる。
【００１７】
更に、上記のように構成すると、ボックス構成部材の突き合わせ部を樹脂含浸シートにより完全に覆った状態で接合するため、コフィンボックスの防水性を高めることができ、コフィンボックス内に浸水するのを防ぐことができる。
【００１８】
また上記のように構成すると、ボックス構成部材の突き合わせ部を覆うように樹脂含浸シートを配置して含浸した樹脂を硬化させるだけで、ボックス構成部材を液密に接合することができ、ボックス構成部材の接合部をボルトにより接合する場合のように、組立作業の熟練度によりコフィンボックスの接合部のシール性に差が生じることがないので、常に防水性が高い、均一な品質の電力ケーブル接続部を得ることができる。
【００１９】
一般に、電力ケーブルのケーブル接続部本体からは、該ケーブル接続部本体により接続されたケーブルの遮蔽層につながる接地線が導出されるため、コフィンボックスには、この接地線を外部に引き出す接地線引出部が設けられる。またコフィンボックス内には防水コンパウンドが充填される。
【００２０】
上記のように、コフィンボックスに接地線引出部が設けられる場合には、コッフィンボックスを構成する複数のボックス構成部材の内、接地線に対面する一つのボックス構成部材の周壁部に接地線を受け入れる凹部を内側に有する膨出部が形成するとともに、凹部に臨むようにして該一つのボックス構成部材に接地線引出部を設けて、接地線を凹部内を通して接地線引出部から外部に引き出す構造とするのが好ましい。
【００２１】
この場合も、コフィンボックスを構成するボックス構成部材の接合構造は前記と同様である。即ち、各分割部で突き合わされた隣り合うボックス構成部材に跨って、各分割部付近を外側から覆う樹脂含浸シートを配置し、各分割部付近を覆う樹脂含浸シートに含浸された樹脂を硬化することにより、各分割部で突き合わされた隣り合うボックス構成部材の外面に樹脂含浸シートを接着して、複数のボックス構成部材の各突き合わせ部を樹脂含浸シートを介して接合する。
【００２２】
上記のように、接地線に対面する一つのボックス構成部材の周壁部に接地線を受け入れる凹部を内側に有する膨出部を形成して、接地線を凹部内を通して接地線引出部から外部に引き出す構造とすると、接地線に対面する一つのボックス構成部材の周壁部の上記膨出部以外の部分をケーブル接続部本体に近づけることができるため、上記膨出部を設けない場合に比べて、コフィンボックス内の容積を縮小することができる。従って、コフィンボックス内に充填する防水コンパウンドの量を少なくすることができ、防水コンパウンドの節約を図ることができる。
【００２３】
ボックス構成部材の接合強度を高めるため、上記樹脂含浸シートとしては、ガラス繊維の織布または不織布に樹脂を含浸させたものを用いるのが好ましい。
【００２４】
上記のように、樹脂含浸シートとして、ガラス繊維の織布または不織布に樹脂を含浸させたものを用いると、コフィンボックスの接合部の強度を高めることができるため、地中に直接埋設することができる電力ケーブルの接続部を容易に得ることができる。
【００２５】
またシートに含浸させる樹脂としては、温度により硬化する熱硬化型の樹脂、２液を混合することにより硬化する樹脂、紫外線や電子線の照射により硬化する光硬化型の樹脂等を用いるのがよく、特に紫外線硬化型の樹脂を用いるのが好ましい。
【００２６】
シートに含浸させる樹脂として、光硬化型の樹脂を用いると、シートに自然光や電子線を照射するだけで、樹脂を短時間で硬化させることができるため、樹脂の硬化を容易にすることができ、電力ケーブル接続部の組立作業能率を向上させることができる。また併せて温度を可変することにより、硬化時間を調整してもよい。
【００２７】
本発明はまた、複数の電力ケーブルどうしを接続したケーブル接続部本体を構成した後、ケーブル接続部本体をコフィンボックス内に収容して電力ケーブル接続部を構成する方法に適用される。
【００２８】
本発明に係わる電力ケーブル接続部の構成方法においては、コフィンボックスとして、複数のボックス構成部材に分割されて隣り合うボックス構成部材どうしが各分割部で突き合わされる構造を有するものを用い、ケーブル接続部本体を構成した後、ケーブル接続部本体を複数のボックス構成部材の内側に配置した状態で該複数のボックス構成部材を突き合せる。次いで、各分割部で突き合わされた隣り合うボックス構成部材に跨って、各分割部付近を外側から覆うように樹脂含浸シートを配置し、各分割部付近を覆う樹脂含浸シートに含浸された樹脂を硬化させることにより、各分割部で突き合わされた隣り合うボックス構成部材の外面に樹脂含浸シートを接着して、複数のボックス構成部材の各突き合わせ部を樹脂含浸シートを介して接合する。
【００２９】
上記の方法によると、多数のボルトを締め付ける作業を行うことなく、コフィンボックスを組み立てることができるため、電力ケーブル接続部の構成を容易にすることができる。またボックス構成部材の突き合わせ部を覆うように樹脂含浸シートを配置して樹脂を硬化させるだけで、ボックス構成部材を液密に接合することができ、ボックス構成部材をボルトにより接合する場合のように、ボルトの締め具合により接合部のシール性に差が生じることがないため、作業者の高い熟練度を要することなく、コフィンボックスの接合部のシール性を常に均一にすることができ、コフィンボックスの内部に水が浸入するおそれがない高品質の電力ケーブル接続部を容易に得ることができる。
【００３０】
本発明はまた、複数の電力ケーブルどうしを接続したケーブル接続部本体を構成して複数の電力ケーブルの遮蔽層につながる接地線を引き出した後、ケーブル接続部本体をコフィンボックス内に収容して電力ケーブル接続部を構成する方法に適用される。
【００３１】
この場合は、コフィンボックスとして、複数のボックス構成部材に分割されて各分割部で隣り合うボックス構成部材どうしが突き合わされる構造を有するものを用いて、複数のボックス構成部材の内、接地線に対面する一つのボックス構成部材の周壁部に接地線を受け入れる凹部を内側に有する膨出部を形成しておくとともに、凹部内に臨むようにして該一つのボックス構成部材に接地線引出し部を設けておく。そして、ケーブル接続部本体を構成した後、接地線を一つのボックス構成部材の凹部内を通して引出部から外部に引き出すとともに、ケーブル接続部本体を複数のボックス構成部材の内側に配置した状態で該複数のボックス構成部材を突き合せる。次いで、各分割部で突き合わされた隣り合うボックス構成部材に跨って、各分割部付近を外側から覆うように樹脂含浸シートを配置し、各分割部付近を覆う樹脂含浸シートに含浸された樹脂を硬化させることにより、各分割部で突き合わされた隣り合うボックス構成部材の外面に樹脂含浸シートを接着して、複数のボックス構成部材の各突き合わせ部を樹脂含浸シートを介して接合する。
【発明の効果】
【００３２】
以上のように、本発明によれば、分割構造のコフィンボックスの各分割部で突き合わされた隣り合うボックス構成部材に跨って、各分割部付近を外側から覆う樹脂含浸シートを配置して、各分割部で突き合わされた隣り合うボックス構成部材の外面に樹脂含浸シートを接着することにより、複数のボックス構成部材の各突き合わせ部を樹脂含浸シートを介して接合する構造にしたので、ボルトを用いることなく、かつボックス構成部材の突き合わせ部にパッキンを介在させることなく、コフィンボックスを組み立てることができる。従って、コフィンボックスの構造を簡単にすることができ、コフィンボックスのコストの低減を図ることができる。
【００３３】
本発明によればまた、ボックス構成部材の突き合わせ部を樹脂含浸シートにより完全に覆った状態で接合できるため、コフィンボックスの防水性を高めることができ、コフィンボックス内に水が浸入するのを防ぐことができる。
【００３４】
更に本発明によれば、ボックス構成部材の突き合わせ部を覆うように樹脂含浸シートを配置して樹脂を硬化させるだけで、ボックス構成部材を液密に接合することができるので、ボックス構成部材の接合部をボルトにより接合する場合のように、組立作業の熟練度により接合部のシール性に差が生じるのを防ぐことができ、常に品質が均一な電力ケーブル接続部を構成することができる。
【００３５】
本発明において、ケーブル接続部本体から接地線が引き出される場合に、接地線に対面する一つのボックス構成部材の周壁部に接地線を受け入れる凹部を内側に有する膨出部を形成して、接地線を凹部内を通して接地線引出部から外部に引き出す構造とした場合には、接地線に対面する一つのボックス構成部材の周壁部の膨出部以外の部分をケーブル接続部本体本体に近づけることができるため、膨出部を設けない場合に比べて、コフィンボックス内の容積を縮小することができる。従って、コフィンボックス内に充填する防水コンパウンドの量を少なくすることができ、防水コンパウンドの節約を図ることができる。
【００３６】
本発明において、樹脂含浸シートとして、ガラス繊維の織布または不織布に樹脂を含浸させたものを用いた場合には、コフィンボックスの接合部の強度を高めることができるため、地中に直接埋設することができる電力ケーブルの接続部を容易に得ることができる。
【００３７】
また本発明において、シートに含浸させる樹脂として、温度により硬化する温度硬化型の樹脂や、紫外線や電子線の照射により硬化する光硬化型の樹脂、特に紫外線硬化型の樹脂を用いた場合には、シートに光や電子線を照射するだけで、樹脂を短時間で硬化させることができるため、樹脂の硬化を容易にすることができ、電力ケーブル接続部の組立作業能率を向上させることができる。また併せて温度を可変することにより硬化時間を調整することもできる。
【発明を実施するための最良の形態】
【００３８】
以下図面を参照して、本発明の好ましい実施形態を詳細に説明する。図１ないし図４は本発明の第１の実施形態を示したもので、図１はコフィンボックスからのケーブル引出部のシールを行う前の状態での電力ケーブル接続部の正面図、図２はコフィンボックスからのケーブル引出部のシールを行った後の電力ケーブル接続部の正面縦断面図、図３は図２をIII−III線に沿って断面して示した横断面図、図４は、図１の右側面図である。
【００３９】
これらの図において、１及び２は互いに接続される２本の電力ケーブル、３は電力ケーブル１及び２を接続するケーブル接続部本体である。電力ケーブル１及び２は地下に直接埋設した場合にかかる土圧に耐えるように、周壁部が波付けされた保護管３及び４内に収容されている。
【００４０】
ケーブル接続部本体３は、電力ケーブル１，２の導体どうしを接続金具を介して接続した導体接続部と、電界を緩和するように導体接続部の周辺の電界分布を制御する電界制御構造の補強絶縁層、遮蔽層及び遮水層などにより構成される。補強絶縁層は、ゴムブロック絶縁体（ＲＢＪ）、エポキシ・プレモールド絶縁体コンポジット（ＰＪ）、テープ巻き（ＴＪ）等により構成される。
【００４１】
６は同軸ケーブルからなる接地線で、この接地線の中心導体６ａはケーブル１の遮蔽層に接続され、接地線６のシールド導体６ｂはケーブル２の遮蔽層に接続されている。１０はＦＲＰ（繊維強化プラスチック）からなるほぼ円筒状のコフィンボックスで、コフィンボックス１０の軸線方向の一端及び他端の端面にはそれぞれ中心軸線を共有する１対のケーブル引出用の引出部１０ａ，１０ａが一体に形成されている。コフィンボックス１０の軸線方向の他端の端面には、引出部１０ａと並ぶようにして接地線引出用の引出部１０ｂが形成されている。ケーブル引出用の引出部１０ａ，１０ａ及び接地線引出用の引出部１０ｂは、コフィンボックスの中心軸線に対して偏心した位置にあって、コフィンボックスの中心軸線を含む一つの平面上にそれぞれの中心軸線を有するように設けられている。
【００４２】
コフィンボックス１０の周壁部のケーブル引出用の引出部１０ａ，１０ａと反対側に位置する部分には、コフィンボックスの軸線方向に間隔をあけて、２つの孔部１０ｃ，１０ｃが形成されている。これらの孔部１０ｃ，１０ｃの外側への開口部周辺にそれぞれ短管１０ｄ，１０ｄが接合され、短管１０ｄ，１０ｄの開口部がコンパウンド注入口１２，１２とされている。短管１０ｄ，１０ｄの外周にはキャップ１０ｅ，１０ｅが被されている。
【００４３】
コフィンボックス１０は、ケーブル引出用の引出部１０ａ，１０ａの中心軸線を含む一つの平面からなる分割面の両側に、第１のボックス構成部材１０Ａと第２のボックス部材１０Ｂとに分割され、コフィンボックスの周壁部の分割面と交わる部分に形成された２カ所の分割部１１，１１（図１及び図３参照）で、ボックス構成部材１０Ａ，１０Ｂの相対する端部どうしが突き合わされる。
【００４４】
図示の例では、コンパウンド注入口１２，１２が設けられている一方のボックス構成部材を第１のボックス構成部材１０Ａとし、他方のボックス部材を第２のボックス構成部材１０Ｂとしている。
【００４５】
電力ケーブル接続部を構成する際には、電力ケーブル１，２どうしを接続したケーブル接続部本体３を構成した後、第２のボックス構成部材１０Ｂの上にケーブル接続部本体３を配置し、第２のボックス構成部材１０Ｂの両端に形成されているケーブル引出用の引出部１０ａ，１０ａの半部の上に保護管４，５で覆われたケーブル１，２を乗せる。次いで、接地線６を第１のボックス構成部材１０Ａの接地線引出用の引出部１０ｂの内側に挿入して該引出部１０ｂを貫通させた後、第２のボックス構成部材１０Ｂの上に乗っているケーブル接続部本体３及びケーブル１，２の上に第１のボックス構成部材１０Ａを被せて、第１のボックス構成部材１０Ａ及び第２のボックス構成部材１０Ｂの相対する端部どうしを突き合わせる。
【００４６】
次いで、各分割部１１で突き合わされたボックス構成部材１０Ａ，１０Ｂに跨って、各分割部１１付近を外側から覆う樹脂含浸シート１５を、ボックス構成部材１０Ａ，１０Ｂの外面に添わせて配置し、各分割部１１付近を覆う樹脂含浸シート１５に含浸された樹脂を硬化させることにより、各分割部で突き合わされたボックス構成部材１０Ａ，１０Ｂの外面に樹脂含浸シート１５を接着する。これにより、ボックス構成部材１０Ａ，１０Ｂの各突き合わせ部を樹脂含浸シートを介して接合する。図１及び図４に示されているように、樹脂含浸シート１５は、コフィンボックス１０の分割部１１全体を完全に覆うように（コフィンボックスの両端の端面に形成されている分割部１１及びケーブル引出用の引出部１０ａ，１０ａに形成されている分割部１１をも覆うように）設けて、ボックス構成部材１０Ａ，１０Ｂの各突き合わせ部全体を液密にシールする。
【００４７】
上記のようにしてコフィンボックスの分割部１１を接合した後、ケーブル引出用の引出部１０ａ，１０ａの外周と該引出部から導出されている保護管４，５とに防水テープ１６を巻き付けるとともに、接地線引出用の引出部１０ｂの外周と該引出部から導出されている接地線６の外周とに防水テープ１７を巻き付け、ケーブルの引出部及び接地線の引出部を液密にシールする。
【００４８】
上記のようにしてコフィンボックス１０を組み立てた後、コフィンボックスのコンパウンド注入口１２からコフィンボックス内にウレタン樹脂などの防水コンパウンド１８を注入する。その後、短管１０ｄにキャップ１０ｅを被せてコンパウンド注入口１２を塞ぎ、キャップ１０ｅと短管１０ｄとの間を接着などの適宜の手段により液密にシールする。
【００４９】
上記のように、コフィンボックスを分割構造として、コフィンボックスの各分割部で突き合わされた隣り合うボックス構成部材１０Ａ，１０Ｂに跨って、各分割部１１付近を外側から覆う樹脂含浸シートを配置して、各分割部で突き合わされた隣り合うボックス構成部材の外面に樹脂含浸シート１５を接着することにより、ボックス構成部材の各突き合わせ部を樹脂含浸シートを介して接合する構造にすると、ボルトを用いることなく、かつボックス構成部材の突き合わせ部にパッキンを介在させることなく、コフィンボックスを組み立てることができるため、コフィンボックス１０の構造を簡単にすることができ、コフィンボックスのコストの低減を図ることができる。
【００５０】
また、上記のように構成すると、ボックス構成部材１０Ａ，１０Ｂの突き合わせ部を樹脂含浸シートにより完全に覆った状態で接合できるため、コフィンボックスの防水性を高めることができ、コフィンボックス内に水が浸入するのを確実に防ぐことができる。
【００５１】
更に上記のように構成すると、ボックス構成部材１０Ａ，１０Ｂの突き合わせ部を覆うように樹脂含浸シート１５を配置して樹脂を硬化させるだけで、ボックス構成部材１０Ａ，１０Ｂを液密に接合することができるので、ボックス構成部材の接合部をボルトにより接合する場合のように、組立作業の熟練度により接合部のシール性に差が生じるのを防ぐことができ、常に品質が均一な電力ケーブル接続部を構成することができる。
【００５２】
上記樹脂含浸シート１５としては、ガラス繊維の織布または不織布に樹脂を含浸させたものを用いるのが好ましい。このような樹脂含浸シートを用いると、コフィンボックス１０の接合部の強度を高めることができるため、地中に直接埋設することができる電力ケーブルの接続部を容易に得ることができる。
【００５３】
樹脂含浸シートを構成するシートとしては、ＦＲＰの補強材として広く用いられているチョップドストランドマット（ストランドを短くカットしたものを、ランダムな方向に向けて均一に分散させ、バインダーでマット状に接着したシート）を用いるのが好ましい。チョップドストランドマットは、あらゆる方向に沿った強度が均一で、樹脂の含浸性も良好であり、また型との馴染みがよいため、ボックス構成部材の外面の曲面に添わせて、突き合わせ部の隙間を塞ぐのに好適である。
【００５４】
含浸樹脂の硬化を容易にするため、樹脂含浸シート１５に含浸させる樹脂としては、硬化に要する時間が短い光硬化型の樹脂を用いるのが好ましい。すなわち、樹脂含浸シートとしては、チョップドストランドマットに光硬化型の樹脂を含浸させたガラス繊維シートを用いるのが最も好ましい。
【００５５】
本発明者が行った実験では、チョップドストランドマットに紫外線硬化型の樹脂を含浸させた樹脂含浸シートである、旭化成ジオテック株式会社製のＡＦＲシート（商品名）（厚さが１mmのもの）を用いて、地中に埋設する際に作用する土圧に十分耐えられる電力ケーブル接続部を得ることができた。ＡＦＲシートを用いた場合、樹脂の硬化に要する時間は、日光に含まれる紫外線を利用した場合で、約１５分であった。コフィンボックスの組立てを、日光が届かない地下の洞道内や屋内で行う場合には、紫外線硬化型の樹脂を硬化させる際に用いる光源として紫外線蛍光灯を用いるのが適当である。
【００５６】
図５は本発明の第２の実施形態を示したものである。この例では、第１の実施形態と同様に２分割された分割構造のコフィンボックス１０′のボックス構成部材１０Ａ′，１０Ｂ′の内、接地線６に対面する方の第１のボックス構成部材１０Ａ′の周壁部に接地線を受け入れる凹部１０ｆを内側に有する膨出部１０ｇが形成されている。また図示してないが、凹部１０ｆ内に臨むようにしてボックス構成部材１０Ａの端部に接地線引出部が設けられ、接地線６は、凹部１０ｆ内を通して接地線引出部から外部に引き出される。接地線引出部は第１の実施形態と同様に、第１のボックス構成部材１０Ａ′の端部に形成された引出部により構成される。その他の点は、第１の実施形態と同様に構成されている。
【００５７】
上記のように、接地線６に対面する一つのボックス構成部材の周壁部に接地線６を受け入れる凹部１０ｆを内側に有する膨出部１０ｇを形成して、接地線を凹部１０ｆ内を通して接地線引出部から外部に引き出す構造とすると、接地線６に対面するボックス構成部材１０Ａ′の周壁部１０ｈの上記膨出部以外の部分をケーブル接続部本体３に近づけることができるため、上記膨出部１０ｇを設けない場合（第１の実施形態による場合）に比べて、コフィンボックス内の容積を縮小することができる。従って、コフィンボックス内に充填する防水コンパウンド１８の量を少なくすることができ、防水コンパウンドの節約を図ってコストの低減を図ることができる。
【００５８】
図６は本発明の第３の実施形態を示したもので、この実施形態では、円筒状のコフィンボックスに代えて、横断面の輪郭形状がほぼ楕円形を呈する扁平な形状を有する筒体を分割構造とした最中型のコフィンボックス１０″が用いられている。コフィンボックス１０″の一端及び他端にはケーブル引出用の引出部１０ａ″，１０ａ″が形成され、コフィンボックス１０″の他端には接地線引出用の引出部１０ｂ″が形成されている。またコフィンボックスの周壁部には、キャップ１０ｅ″により閉じられたコンパウンド注入口が設けられている。
【００５９】
コフィンボックス１０″はケーブル引出用の引出部１０ａ″，１０ａ″の中心軸線を含む分割面に沿う分割部１１″で第１のボックス構成部材１０Ａ″と第２のボックス構成部材１０Ｂ″とに分割されている。第１の実施形態と同様に、分割部で突き合わされているボックス構成部材１０Ａ″，１０Ｂ″に跨って、各分割部を覆う樹脂含浸シート１５が、ボックス構成部材１０Ａ″，１０Ｂ″の外面に添わせて配置され、樹脂含浸シート１５に含浸された樹脂が硬化されることにより、各分割部で突き合わされたボックス構成部材１０Ａ″，１０Ｂ″の外面に樹脂含浸シート１５が接着されて、ボックス構成部材１０Ａ″，１０Ｂ″の各突き合わせ部が樹脂含浸シート１５を介して接合されている。
【００６０】
図６に示した実施形態は、半導電性のストレスコーンや補強絶縁筒体が内部にモールドされ、外面に半導電層が形成されたゴム絶縁筒内に、ケーブルの導体どうしを接続した導体接続部を配置することにより、ケーブル接続部本体を構成する場合のように、ケーブル接続部本体がコンパクトに構成される場合に有用である。図６に示したようなコフィンボックスを用いると、その内部容積を縮小することができるため、防水コンパウンドの節約を図ることができる。
【００６１】
なお半導電性のストレスコーンや補強絶縁筒体が内部にモールドされ、外面に半導電層が形成されたケーブル接続部用のゴム絶縁筒は、例えば、特開２００５−１２９３３に示されているように公知である。
【００６２】
上記の各実施形態では、コフィンボックスを２つのボックス構成部材に分割しているが、コフィンボックスを３以上のボックス構成部材に分割する場合にも本発明を適用することができる。
【００６３】
また、樹脂含浸シートをコフィンボックスの略全体を覆うように設けてもよい。樹脂含浸シートはまた、ケーブル引出用の引出部と電力ケーブルとに亘って設けてもよい。
【００６４】
上記の説明では電力ケーブル接続部が直接地中に埋設されるとしたが、洞道やマンホール内等に配置される場合もある。
【図面の簡単な説明】
【００６５】
【図１】本発明の第１の実施形態において、コフィンボックスからのケーブル引出部のシールを行う前の状態での電力ケーブル接続部を示した正面図である。
【図２】本発明の第１の実施形態において、コフィンボックスからのケーブル引出部のシールを行った後の電力ケーブル接続部を示した正面縦断面図である。
【図３】図２をIII−III線に沿って断面して示した横断面図である。
【図４】図１の右側面図である。
【図５】本発明の第２の実施形態の図３に相当する断面図である。
【図６】本発明の第３の実施形態において、コフィンボックスからのケーブル引出部のシールを行う前の状態での電力ケーブル接続部を示した正面図である。
【符号の説明】
【００６６】
１，２  電力ケーブル
３  ケーブル接続部本体
６  接地線
１０  コフィンボックス
１０Ａ，１０Ｂ  ボックス構成部材
１１  分割部
１５  樹脂含浸シート
１８  防水コンパウンド
【図１】
0005089328.tif 000002
【図２】
0005089328.tif 000003
【図３】
0005089328.tif 000004
【図４】
0005089328.tif 000005
【図５】
0005089328.tif 000006
【図６】
0005089328.tif 000007